(57)【要約】【課題】視覚障害者がかご操作盤を容易に探し出して操作することができ、視覚障害者の利便性を向上させることができるエレベータのかごを提供する。【解決手段】実施の形態によるエレベータのかご３は、かご室１１を含むかご本体１０と、かご室１１の側壁面１１ｂに設けられた手摺２０と、手摺２０に設けられたかご操作盤３０と、を備えている。手摺２０は、手摺本体２２と、手摺本体２２に手摺２０の長手方向に連結され、かご操作盤３０が取り付けられた操作盤取付部２３と、を有している。操作盤取付部２３は、利用者にかご操作盤３０の位置を認識させる操作盤認識手段４０を有している。操作盤認識手段４０は、かご操作盤３０より上側に配置されている。【選択図】図２
2016003136.tif 000002
【特許請求の範囲】
【請求項１】
かご室を含むかご本体と、
前記かご室の側壁面に設けられた手摺と、
前記手摺に設けられたかご操作盤と、を備え、
前記手摺は、手摺本体と、前記手摺本体に当該手摺の長手方向に連結され、前記かご操作盤が取り付けられた操作盤取付部と、を有し、
前記操作盤取付部は、利用者に前記かご操作盤の位置を認識させる操作盤認識手段を有し、
前記操作盤認識手段は、前記かご操作盤より上側に配置されていることを特徴とするエレベータのかご。
【請求項２】
前記操作盤認識手段は、突起部、窪み部、点字部、または凸文字部を含んでいることを特徴とする請求項１に記載のエレベータのかご。
【請求項３】
前記かご操作盤は、前記手摺の長手向に配列された複数の操作ボタンを有し、
前記操作盤認識手段は、前記操作ボタンの各々の上側に配置されていることを特徴とする請求項１に記載のエレベータのかご。
【請求項４】
前記操作盤認識手段は、前記操作盤取付部に設けられた、利用者が触れたことを検出可能な検出部と、前記検出部が利用者が触れたことを検出した場合に、前記操作盤取付部に前記かご操作盤が取り付けられている旨を報知する報知部と、を含んでいることを特徴とする請求項１に記載のエレベータのかご。
【請求項５】
かご室を含むかご本体と、
前記かご室の側壁面に設けられた手摺と、
前記手摺に設けられたかご操作盤と、を備え、
前記手摺は、手摺本体と、前記手摺本体に当該手摺の長手方向に連結され、前記かご操作盤が取り付けられた操作盤取付部と、を有し、
前記操作盤取付部のうち少なくとも前記かご操作盤より上側の部分は、前記手摺本体とは異なる触感を有していることを特徴とするエレベータのかご。
【発明の詳細な説明】
【技術分野】
【０００１】
本発明の実施形態は、エレベータのかごに関する。
【背景技術】
【０００２】
エレベータのかご室内には、かご操作盤が設けられている。かご操作盤は、かご内に乗車した利用者が、かごの行き先階を登録したり、かごドアの開閉を行ったりするための各種操作ボタンを有している。
【先行技術文献】
【特許文献】
【０００３】
【特許文献１】特許第２８５２１１３号公報
【特許文献２】実開平６−３３８７５号公報
【発明の概要】
【発明が解決しようとする課題】
【０００４】
このようなエレベータのかご室に乗車した視覚障害者は、かご室の側壁面を触れながらかご操作盤を探す。かご操作盤は、通常かごの出入口付近に設けられることが多いため、この場合には、視覚障害者であってもかご操作盤を比較的容易に探し出すことができる。
【０００５】
しかしながら、駅などに設置されるようなエレベータの場合、かごの出入口ドアの横にはスペースがないため、かご操作盤がかご室の側壁面の奥行き方向中央部に設置される場合がある。また、車椅子利用者に配慮することを目的として、かご操作盤が、かご室の側壁面の中央部に設置される場合もある。このようにかご操作盤がかご室の側壁面の中央部に配置される場合、視覚障害者は、かご室中を触りながらかご操作盤を探すことになり、かご操作盤を探し出すことに時間が掛かり、困難を伴う。
【０００６】
また、高齢者や身体障害者などの利用者の補助を目的として、かご室内に手摺が設置される場合もある。このような手摺が操作盤と同じ側壁面に設置されると、車椅子利用者から見て手前側に手摺が配置され、その奥側（側壁面側）に操作盤が配置され、手摺が、車椅子利用者がボタンを操作する際の妨げとなり得る。
【０００７】
本発明は、このような点を考慮してなされたものであり、視覚障害者がかご操作盤を容易に探し出して操作することができ、視覚障害者の利便性を向上させることができるエレベータのかごを提供することを目的とする。
【課題を解決するための手段】
【０００８】
実施の形態によるエレベータのかごは、かご室を含むかご本体と、かご室の側壁面に設けられた手摺と、手摺に設けられたかご操作盤と、を備えている。手摺は、手摺本体と、手摺本体に手摺の長手方向に連結され、かご操作盤が取り付けられた操作盤取付部と、を有している。操作盤取付部は、利用者にかご操作盤の位置を認識させる操作盤認識手段を有している。操作盤認識手段は、かご操作盤より上側に配置されている。
【０００９】
また、実施の形態によるエレベータのかごは、かご室を含むかご本体と、かご室の側壁面に設けられた手摺と、手摺に設けられたかご操作盤と、を備えている。手摺は、手摺本体と、手摺本体に手摺の長手方向に連結され、かご操作盤が取り付けられた操作盤取付部と、を有している。操作盤取付部のうち少なくともかご操作盤より上側の部分は、手摺本体とは異なる触感を有している。
【図面の簡単な説明】
【００１０】
【図１】図１は、本発明の第１の実施の形態におけるエレベータ装置の構成を示す概略図である。
【図２】図２は、図１のエレベータ装置においてかご室内を示す斜視図である。
【図３】図３は、図１のかご室内に設けられた手摺を正面側から示す斜視図である。
【図４】図４は、本発明の第２の実施の形態における手摺を正面側から示す斜視図である。
【図５】図５は、本発明の第３の実施の形態における手摺を正面側から示す斜視図である。
【図６】図６（ａ）は、本発明の第４の実施の形態における手摺を正面側から示す斜視図であり、図６（ｂ）は、図６（ａ）の手摺を裏面側から示す斜視図である。
【図７】図７（ａ）は、本発明の第５の実施の形態における手摺を正面側から示す斜視図であり、図７（ｂ）は、図７（ａ）の手摺を裏面側から示す斜視図である。
【図８】図８は、本発明の第６の実施の形態における手摺を正面側から示す斜視図である。
【図９】図９は、本発明の第７の実施の形態における手摺を正面側から示す斜視図である。
【図１０】図１０は、本発明の第８の実施の形態における手摺を正面側から示す斜視図である。
【発明を実施するための形態】
【００１１】
以下、図面を参照して、本発明の実施の形態について説明する。
【００１２】
（第１の実施の形態）
まず、図１乃至図３を用いて、第１の実施の形態によるエレベータのかごについて説明する。ここでは、まず、エレベータ装置について図１を用いて説明する。
【００１３】
図１に示すように、エレベータ装置１は、昇降路２内を昇降自在なエレベータのかご（以下、単にかごと記す）３と、かご３に主ロープ４を介して連結された釣合錘５と、主ロープ４を介してかご３及び釣合錘５を昇降させる巻上機（昇降駆動部）６と、を備えている。主ロープ４は、巻上機６に連結されたトラクションシーブ７に巻き掛けられている。このような構成において、巻上機６がトラクションシーブ７を回転駆動することにより、主ロープ４が巻き上げられ、かご３及び釣合錘５がそれぞれ昇降し、かご３が、建物に設けられた複数の乗場８のうちの任意の乗場８に着床して、利用者が乗降可能になっている。
【００１４】
続いて、かご３について図２を用いて説明する。
【００１５】
図２に示すように、かご３は、床面１１ａと側壁面１１ｂと天井面（図示せず）とによって画定されたかご室１１を含むかご本体１０を有している。かご本体１０の出入口の両側には入口柱１３が設けられ、これらの入口柱１３の間にかごドア１２が設けられている。かごドア１２の上方には幕板１４が設けられている。
【００１６】
かご室１１の側壁面１１ｂには、ブラケット２１（図４、図６等参照）を介して手摺２０が設けられ、この手摺２０にはかご操作盤３０が設けられている。このうち手摺２０は、図２および図３に示すように、略水平に取り付けられており、概略的に奥行き方向を長手方向としてこの長手方向に延びるように形成されている。
【００１７】
手摺２０は、手摺本体２２と、手摺本体２２に当該手摺２０の長手方向に連結され、かご操作盤３０が取り付けられた操作盤取付部２３と、を有している。本実施の形態においては、手摺２０は、２つの手摺本体２２を有しており、操作盤取付部２３は、２つの手摺本体２２の間に介在されている。２つの手摺本体２２のうちの一方は、かごドア１２の側に配置されている。なお、手摺２０は、例えば、かご室１１の床面１１ａから８００ｍｍ程度の高さに位置付けられることが好適である。この場合、手摺２０を、一般の利用者や車椅子利用者にとって利用しやすい高さとすることができる。
【００１８】
かご操作盤３０は、かご３内に乗車した利用者が、かご３の行き先階を登録したり、かごドア１２の開閉を行ったりするためのものであり、具体的には、手摺２０の正面（かご室１１の内側の面）側に取り付けられている。このことにより、かご操作盤３０の操作が、手摺２０によって妨げられることを防止している。
【００１９】
また、かご操作盤３０は、複数の操作ボタン３１、３２、３３を有している。操作ボタン３１、３２、３３の例としては、図３に示すような、かご３の行き先階を登録する行き先階ボタン３１と、かごドア１２を開閉するための開ボタン３２および閉ボタン３３と、非常呼びボタン（図示せず）と、が挙げられる。これらの操作ボタン３１、３２、３３が、正面側から操作可能になっている。また、これらの各種操作ボタン３１、３２、３３が手摺２０の正面側から操作可能であれば、操作ボタン３１、３２、３３が装着された基板や、操作ボタン３１、３２、３３に接続されたケーブルなどは、手摺２０の内部に収納してもよく、あるいは、手摺２０近傍の側壁（側板）の裏面に収納してもよい。なお、操作ボタン３１、３２、３３は、タッチ式、プッシュ式など任意の方式とすることができる。
【００２０】
上述した操作ボタン３１、３２、３３は、手摺２０の長手方向に配列されている。図２および図３に示す例では、かごドア１２の側から順に、開ボタン３２、閉ボタン３３、行き先階ボタン３１が奥行き方向に１列に配列されている。
【００２１】
手摺２０の操作盤取付部２３は、かご３内に乗車した利用者にかご操作盤３０の位置を認識させる操作盤認識手段４０を有している。本実施の形態においては、手摺２０の手摺本体２２は、かご室１１の側壁面１１ｂに沿って奥行き方向に直線状に延びており、操作盤認識手段４０は、かご操作盤３０より上側に配置されたアーチ形状部４１を含んでいる。アーチ形状部４１は、手摺２０の操作盤取付部２３のうちかご操作盤３０より上側の部分に形成されている。すなわち、操作盤取付部２３の上部がアーチ状に形成されている。
【００２２】
次に、このような構成からなる本実施の形態の作用について説明する。
【００２３】
かごドア１２を通ってかご室１１内に乗車した視覚障害者は、かごドア１２の横に操作盤がないことから、まず、かご室１１の側壁面１１ｂに触れる。一方、かご室１１には、視覚障害者を含む利用者が利用しやすい高さに手摺２０が設けられている。このため、視覚障害者は、手摺２０を比較的容易に探し出すことができ、手摺２０のうちかごドア１２の側に設けられた手摺本体２２に手を触れる。
【００２４】
そして、視覚障害者は、手摺２０の上部に触れながら、手摺２０の長手方向に沿ってかご室１１の奥行き方向に進む。
【００２５】
ここで、図３に示すように、手摺本体２２は、かご室１１の側壁面１１ｂに沿って奥行き方向に直線状に延びており、かご操作盤３０が取り付けられた操作盤取付部２３は、かごドア１２の側の手摺本体２２よりも奥側に配置されている。このことにより、かごドア１２の側の手摺２０の上部に触れながらかご室１１の奥行き方向に進む視覚障害者は、操作盤取付部２３にたどり着く。この際、操作盤取付部２３は、かご操作盤３０より上側に配置されたアーチ形状部４１を含んでいることにより、操作盤取付部２３にたどり着いた視覚障害者は、操作盤取付部２３の上部のアーチ形状に触れると、手摺本体２２と操作盤取付部２３との違いを感じ、自身が操作盤取付部２３にたどり着いたことを認識することができる。このため、視覚障害者は、操作盤取付部２３に取り付けられたかご操作盤３０を探し出すことができる。
【００２６】
なお、かご操作盤３０の各操作ボタン３１、３２、３３は、一般的なかご操作盤３０の各操作ボタン３１、３２、３３と同様の材料によって同様の触感を有するように形成したり、同様の形状で形成したりしておくことが好ましい。このことにより、視覚障害者は、過去の経験に基づいてかご操作盤３０を容易に認識することができる。また、操作盤認識手段４０（本実施の形態ではアーチ形状部４１）が設けられている部分にかご操作盤３０が存在するという情報を、操作盤認識手段４０または操作盤取付部２３等に点字を設置することにより視覚障害者に提供してもよく、若しくはかご室１１内に設けられたスピーカからアナウンスすることにより視覚障害者に提供してもよい。このことにより、視覚障害者が、かご操作盤３０をより一層容易に認識することが可能となる。
【００２７】
かご操作盤３０を探し出した視覚障害者は、かご操作盤３０を操作する。具体的には、目的階に対応する行き先階ボタン３１を押す。その後、かごドア１２が閉じられ、かご３が昇降して目的階に着床し、かごドア１２が開き、視覚障害者は手摺２０に触れながらかごドア１２の側に進み、かごドア１２を通ってかご３から降車することができる。
【００２８】
ところで、かご室１１内に車椅子利用者が乗車した場合であっても、かご操作盤３０が、略水平に奥行き方向に延びる手摺２０に取り付けられているため、車椅子利用者にとってもかご操作盤３０を利用しやすくなる。とりわけ、かご操作盤３０の各種操作ボタン３１、３２、３３が、奥行き方向に１列に配列されているため、各種操作ボタン３１、３２、３３を適度な高さに配置することができ、車椅子利用者は、各操作ボタン３１、３２、３３に容易に触れることができ、そして容易に操作することが可能となる。
【００２９】
このように本実施の形態によれば、かご室１１の側壁面１１ｂに設けられた手摺本体２２に連結され、かご操作盤３０が取り付けられた操作盤取付部２３が、かご操作盤３０の位置を認識させる操作盤認識手段４０を有している。このことにより、かご３に乗車した視覚障害者は、操作盤認識手段４０に触れることにより、かご操作盤３０の位置を容易に認識することができる。このため、視覚障害者はかご操作盤３０を容易に探し出して操作することができ、視覚障害者の利便性を向上させることができる。また、かご操作盤３０が手摺２０の操作盤取付部２３に取り付けられていることによりかご操作盤３０の操作が手摺２０によって妨げられることを回避でき、このことによっても利便性を向上させることができる。
【００３０】
また、本実施の形態によれば、操作盤認識手段４０は、かご操作盤３０より上側に配置されている。視覚障害者は、手摺２０に触れる際、一般に手摺２０の上部に触れると考えられる。このことにより、かご操作盤３０より上側に操作盤認識手段４０が設けられることにより、視覚障害者は操作盤認識手段４０に容易に触れることができる。このため、視覚障害者の利便性をより一層向上させることができる。
【００３１】
また、本実施の形態によれば、手摺２０の手摺本体２２は、かご室１１の側壁面１１ｂに沿って直線状に延び、操作盤認識手段４０は、アーチ形状部４１を含んでいる。このことにより、かごドア１２の側の手摺本体２２に触れながらかご室１１の奥行き方向に進む視覚障害者は、アーチ形状部４１に触れると、その形状の違いを感じ、操作盤取付部２３にたどり着いたことを容易に認識することができる。このため、かご操作盤３０を容易に探し出すことができる。
【００３２】
（第２の実施の形態）
次に、図４により、本発明の第２の実施の形態におけるエレベータのかごについて説明する。
【００３３】
図４に示す第２の実施の形態においては、操作盤認識手段は突起部を含んでいる点が主に異なり、他の構成は、図１乃至図３に示す第１の実施の形態と略同一である。なお、図４において、図１乃至図３に示す第１の実施の形態と同一部分には同一符号を付して詳細な説明は省略する。
【００３４】
図４に示すように、操作盤認識手段４０は、かご操作盤３０より上側に配置された突起部４２を含んでいる。本実施の形態においては、手摺本体２２および操作盤取付部２３は、かご室１１の側壁面１１ｂに沿って奥行き方向に直線状に延びており、手摺本体２２および操作盤取付部２３の断面が、それぞれ矩形状に形成されている。そして、突起部４２は、操作盤取付部２３の上面に取り付けられており、上方に向って突出するように形成されている。また、突起部４２は、逆Ｖ字状の断面を有し、手摺２０の正面側から裏面側に向って延びている。なお、突起部４２の断面形状は、視覚障害者によって認識可能であれば逆Ｖ字状の断面に限られることはない。
【００３５】
また、図４に示すように、かご操作盤３０は、上述したように複数の操作ボタン３１、３２、３３を含んでいる。このかご操作盤３０の各操作ボタン３１、３２、３３の上側に、操作盤認識手段４０としての突起部４２がそれぞれ配置されていることが好適である。
【００３６】
このように本実施の形態によれば、かご操作盤３０が取り付けられた操作盤取付部２３に、操作盤認識手段４０としての突起部４２が設けられている。このことにより、かごドア１２の側の手摺本体２２に触れながらかご室１１の奥行き方向に進む視覚障害者は、突起部４２に触れると、その形状の違いを感じ、操作盤取付部２３にたどり着いたことを容易に認識することができる。このため、かご操作盤３０を容易に探し出すことができる。
【００３７】
また、本実施の形態のように、かご操作盤３０の各操作ボタン３１、３２、３３の上側に、突起部４２がそれぞれ配置されている場合、各操作ボタン３１、３２、３３と対応するように突起部４２を配置させることができ、視覚障害者に、各操作ボタン３１、３２、３３の位置を認識させることができる。
【００３８】
（第３の実施の形態）
次に、図５により、本発明の第３の実施の形態におけるエレベータのかごについて説明する。
【００３９】
図５に示す第３の実施の形態においては、操作盤認識手段は窪み部を含んでいる点が主に異なり、他の構成は、図１乃至図３に示す第１の実施の形態と略同一である。なお、図５において、図１乃至図３に示す第１の実施の形態と同一部分には同一符号を付して詳細な説明は省略する。
【００４０】
図５に示すように、操作盤認識手段４０は、かご操作盤３０より上側に配置された窪み部（溝）４３を含んでいる。本実施の形態においては、手摺本体２２および操作盤取付部２３は、かご室１１の側壁面１１ｂに沿って奥行き方向に直線状に延びており、手摺本体２２および操作盤取付部２３の断面が、それぞれ矩形状に形成されている。そして、窪み部４３は、操作盤取付部２３の上面に取り付けられており、下方に向って窪むように形成されている。また、窪み部４３は、Ｖ字状の断面を有し、手摺２０の正面側から裏面側に向って延びている。なお、窪み部４３の断面形状は、視覚障害者によって認識可能であればＶ字状の断面に限られることはない。
【００４１】
また、図５に示すように、かご操作盤３０は、上述したように複数の操作ボタン３１、３２、３３を含んでいる。このかご操作盤３０の各操作ボタン３１、３２、３３の上側に、操作盤認識手段４０としての窪み部４３がそれぞれ配置されていることが好適である。
【００４２】
このように本実施の形態によれば、かご操作盤３０が取り付けられた操作盤取付部２３に、操作盤認識手段４０としての窪み部４３が設けられている。このことにより、かごドア１２の側の手摺本体２２に触れながらかご室１１の奥行き方向に進む視覚障害者は、窪み部４３に触れると、その形状の違いを感じ、操作盤取付部２３にたどり着いたことを容易に認識することができる。このため、かご操作盤３０を容易に探し出すことができる。
【００４３】
また、本実施の形態にように、かご操作盤３０の各操作ボタン３１、３２、３３の上側に、窪み部４３がそれぞれ配置されている場合、各操作ボタン３１、３２、３３と対応するように窪み部４３を配置させることができ、視覚障害者に、各操作ボタン３１、３２、３３の位置を認識させることができる。
【００４４】
（第４の実施の形態）
次に、図６により、本発明の第４の実施の形態におけるエレベータのかごについて説明する。
【００４５】
図６に示す第４の実施の形態においては、操作盤認識手段は点字部を含んでいる点が主に異なり、他の構成は、図１乃至図３に示す第１の実施の形態と略同一である。なお、図６において、図１乃至図３に示す第１の実施の形態と同一部分には同一符号を付して詳細な説明は省略する。
【００４６】
図６（ａ）、（ｂ）に示すように、操作盤認識手段４０は、かご操作盤３０より上側に配置された点字部４４を含んでいる。本実施の形態においては、手摺本体２２および操作盤取付部２３は、かご室１１の側壁面１１ｂに沿って奥行き方向に直線状に延びており、手摺本体２２および操作盤取付部２３の断面が、それぞれ矩形状に形成されている。そして、点字部４４は、操作盤取付部２３の正面（図６（ａ）参照）および背面（図６（ｂ）参照）にそれぞれ設けられていることが好適である。
【００４７】
また、図６（ａ）に示すように、かご操作盤３０は、上述したように複数の操作ボタン３１、３２、３３を含んでいる。操作盤取付部２３の正面において、かご操作盤３０の各操作ボタン３１、３２、３３の上側に、操作盤認識手段４０としての点字部４４がそれぞれ配置されていることが好適である。この場合、各点字部４４は、対応する操作ボタン３１、３２、３３の機能を示していることが好ましい。また、正面と同様にして、操作盤取付部２３の裏面においても、図６（ｂ）に示すように、各操作ボタン３１、３２、３３に対応させて点字部４４が配置されていることが好適である。
【００４８】
このように本実施の形態によれば、かご操作盤３０が取り付けられた操作盤取付部２３に、操作盤認識手段４０としての点字部４４が設けられている。このことにより、かごドア１２の側の手摺本体２２に触れながらかご室１１の奥行き方向に進む視覚障害者は、点字部４４に触れると、その点字部４４が示す情報を読み取り、操作盤取付部２３にたどり着いたことを容易に認識することができる。このため、かご操作盤３０を容易に探し出すことができる。
【００４９】
また、本実施の形態にように、かご操作盤３０の各操作ボタン３１、３２、３３の上側に、点字部４４がそれぞれ配置されている場合、各操作ボタン３１、３２、３３と対応するように点字部４４を配置させることができ、視覚障害者に、各操作ボタン３１、３２、３３の位置を認識させることができる。
【００５０】
また、本実施の形態のように、点字部４４が操作盤取付部２３の正面および背面にそれぞれ設けられている場合、視覚障害者は、より一層容易に点文字部４４に触れることが可能となる。
【００５１】
（第５の実施の形態）
次に、図７により、本発明の第５の実施の形態におけるエレベータのかごについて説明する。
【００５２】
図７に示す第５の実施の形態においては、操作盤認識手段は凸文字部を含んでいる点が主に異なり、他の構成は、図１乃至図３に示す第１の実施の形態と略同一である。なお、図７において、図１乃至図３に示す第１の実施の形態と同一部分には同一符号を付して詳細な説明は省略する。
【００５３】
図７（ａ）、（ｂ）に示すように、操作盤認識手段４０は、かご操作盤３０より上側に配置された、文字を立体的に凸状に形成した凸文字部４５を含んでいる。本実施の形態においては、手摺本体２２および操作盤取付部２３は、かご室１１の側壁面１１ｂに沿って奥行き方向に直線状に延びており、手摺本体２２および操作盤取付部２３の断面が、それぞれ矩形状に形成されている。そして、凸文字部４５は、操作盤取付部２３の正面（図７（ａ）参照）および背面（図７（ｂ）参照）にそれぞれ設けられていることが好適である。
【００５４】
また、図７（ａ）に示すように、かご操作盤３０は、上述したように複数の操作ボタン３１、３２、３３を含んでいる。操作盤取付部２３の正面において、かご操作盤３０の各操作ボタン３１、３２、３３の上側に、操作盤認識手段４０としての凸文字部４５がそれぞれ配置されていることが好適である。この場合、各凸文字部４５は、対応する操作ボタン３１、３２、３３の機能を示していること（すなわち、対応する操作ボタン３１、３２、３３が示す数字、記号などを立体的に凸状に形成していること）が好ましい。また、正面と同様にして、操作盤取付部２３の裏面においても、図７（ｂ）に示すように、各操作ボタン３１、３２、３３に対応させて凸文字部４５が配置されていることが好適である。
【００５５】
このように本実施の形態によれば、かご操作盤３０が取り付けられた操作盤取付部２３に、操作盤認識手段４０としての凸文字部４５が設けられている。このことにより、かごドア１２の側の手摺本体２２に触れながらかご室１１の奥行き方向に進む視覚障害者は、凸文字部４５に触れると、その凸文字部４５が示す情報を読み取り、操作盤取付部２３にたどり着いたことを容易に認識することができる。このため、かご操作盤３０を容易に探し出すことができる。
【００５６】
また、本実施の形態にように、かご操作盤３０の各操作ボタン３１、３２、３３の上側に、凸文字部４５がそれぞれ配置されている場合、各操作ボタン３１、３２、３３と対応するように凸文字部４５を配置させることができ、視覚障害者に、各操作ボタン３１、３２、３３の位置を認識させることができる。
【００５７】
また、本実施の形態のように、凸文字部４５が操作盤取付部２３の正面および背面にそれぞれ設けられている場合、視覚障害者は、より一層容易に凸文字部４５に触れることが可能となる。
【００５８】
（第６の実施の形態）
次に、図８により、本発明の第６の実施の形態におけるエレベータのかごについて説明する。
【００５９】
図８に示す第６の実施の形態においては、操作盤認識手段は利用者が触れたことを検出可能なセンサとスピーカとを含んでいる点が主に異なり、他の構成は、図１乃至図３に示す第１の実施の形態と略同一である。なお、図８において、図１乃至図３に示す第１の実施の形態と同一部分には同一符号を付して詳細な説明は省略する。
【００６０】
図８に示すように、操作盤認識手段４０は、操作盤取付部２３に設けられたセンサ４６（検出部）と、スピーカ４７（報知部）と、を含んでいる。このうちセンサ４６は、センサ４６に利用者が触れたことを検出可能に構成されている。スピーカ４７は、センサ４６が利用者が触れたことを検出した場合に、操作盤取付部２３にかご操作盤３０が取り付けられている旨（より具体的には、今触れたところの近くにかご操作盤３０がある旨）を、かご室１１内の利用者に報知する。本実施の形態においては、手摺本体２２および操作盤取付部２３は、かご室１１の側壁面１１ｂに沿って奥行き方向に直線状に延びており、手摺本体２２および操作盤取付部２３の断面が、それぞれ矩形状に形成されている。そして、センサ４６は、操作盤取付部２３の上面に取り付けられている。スピーカ４７は、かご室１１内の任意の位置に配置させることができる。
【００６１】
また、図８に示すように、かご操作盤３０は、上述したように複数の操作ボタン３１、３２、３３を含んでいる。操作盤取付部２３の上面において、かご操作盤３０の各操作ボタン３１、３２、３３の上側に、センサ４６がそれぞれ配置されていることが好適である。この場合、各センサ４６は、上述したスペーサ４７に接続されている。
【００６２】
このように本実施の形態によれば、かご操作盤３０が取り付けられた操作盤取付部２３にセンサ４６が設けられている。このことにより、かごドア１２の側の手摺本体２２に触れながらかご室１１の奥行き方向に進む視覚障害者がセンサ４６に触れると、スピーカ４７から、操作盤取付部２３にかご操作盤３０が取り付けられている旨報知される。このため、視覚障害者は、かご操作盤３０を容易に探し出すことができる。
【００６３】
また、本実施の形態のように、かご操作盤３０の各操作ボタン３１、３２、３３の上側に、センサ４６がそれぞれ配置されている場合、各操作ボタン３１、３２、３３と対応するようにセンサ４６を配置させることができ、視覚障害者に、各操作ボタン３１、３２、３３の位置を認識させることができる。
【００６４】
（第７の実施の形態）
次に、図９により、本発明の第７の実施の形態におけるエレベータのかごについて説明する。
【００６５】
図９に示す第７の実施の形態においては、操作盤取付部は、手摺本体とは異なる材料によって形成されることにより異なる触感を有している点が主に異なり、他の構成は、図１乃至図３に示す第１の実施の形態と略同一である。なお、図９において、図１乃至図３に示す第１の実施の形態と同一部分には同一符号を付して詳細な説明は省略する。
【００６６】
図９に示すように、手摺２０は、手摺本体２２と、手摺本体２２に連結され、かご操作盤３０が取り付けられた操作盤取付部５０と、を有している。このうち操作盤取付部５０のうち少なくともかご操作盤３０より上側の部分は、手摺本体２２とは異なる触感を有している。
【００６７】
操作盤取付部５０のうち手摺本体２２とは異なる触感を有している部分は、手摺本体２２とは異なる材料（素材）により形成されている。本実施の形態においては、操作盤取付部５０は、全体的に手摺本体２２とは異なる材料によって形成され、手摺本体２２とは異なる触感を有している。
【００６８】
例えば、操作盤取付部５０を金属材料により形成し、手摺本体２２をプラスチック材料により形成した場合、操作盤取付部５０は比較的冷たい触感を有することができ、手摺本体２２は比較的温かい触感を有することができ、操作盤取付部５０と手摺本体２２とが互いに異なる触感を有することができる。なお、図９に示す操作盤取付部５０は、手摺本体２２とは異なる材料により形成されている点を除くと、図１乃至図３に示す第１の実施の形態における操作盤取付部２３と同様の構成とすることができる。
【００６９】
このように本実施の形態によれば、かご操作盤３０が取り付けられた操作盤取付部５０が、手摺本体２２とは異なる触感を有している。このことにより、かごドア１２の側の手摺本体２２に触れながらかご室１１の奥行き方向に進む視覚障害者は、操作盤取付部５０に触れると、その触感の違いを感じ、操作盤取付部５０にたどり着いたことを容易に認識することができる。このため、かご操作盤３０を容易に探し出すことができる。
【００７０】
また、本実施の形態によれば、操作盤取付部５０が手摺本体２２とは異なる材料により形成されていることにより、操作盤取付部５０は、手摺本体２２とは異なる触感を有することができる。
【００７１】
（第８の実施の形態）
次に、図１０により、本発明の第８の実施の形態におけるエレベータのかごについて説明する。
【００７２】
図１０に示す第８の実施の形態においては、操作盤取付部は、手摺本体とは異なる表面処理が施されることにより異なる触感を有している点が主に異なり、他の構成は、図１乃至図３に示す第１の実施の形態と略同一である。なお、図１０において、図１乃至図３に示す第１の実施の形態と同一部分には同一符号を付して詳細な説明は省略する。
【００７３】
図１０に示すように、手摺２０は、手摺本体２２と、手摺本体２２に連結され、かご操作盤３０が取り付けられた操作盤取付部５１と、を有している。このうち操作盤取付部５１のうち少なくともかご操作盤３０より上側の部分は、手摺本体２２とは異なる触感を有している。
【００７４】
操作盤取付部５１のうち手摺本体２２とは異なる触感を有している部分に、手摺本体２２とは異なる表面処理が施されている。本実施の形態においては、操作盤取付部５１には、全体的に手摺本体２２とは異なる表面処理が施され、操作盤取付部５１が手摺本体２２とは異なる触感を有している。
【００７５】
ここで、表面処理の種類としては、例えば、めっき、塗装、コーティング等を挙げることができ、例えば、操作盤取付部５１にめっきによる表面処理を施し、手摺本体２２に塗装による表面処理を施した場合、操作盤取付部５１は、比較的サラサラしたような触感を有することができ、手摺本体２２は、比較的ベタつくような触感を有することができ、操作盤取付部５１と手摺本体２２とが互いに異なる触感を有することができる。
【００７６】
なお、図１０に示す操作盤取付部５１に、手摺本体２２とは異なる表面処理が施されている点を除くと、図１乃至図３に示す第１の実施の形態における操作盤取付部２３と同様の構成とすることができる。また、図１０においては、操作盤取付部５１の上面が、上方に突出するように湾曲している例を示しているが、これに限られることはなく、図９に示すように、当該上面を平坦状に形成してもよい。
【００７７】
このように本実施の形態によれば、かご操作盤３０が取り付けられた操作盤取付部５１が、手摺本体２２とは異なる触感を有している。このことにより、かごドア１２の側の手摺本体２２に触れながらかご室１１の奥行き方向に進む視覚障害者は、操作盤取付部５１に触れると、その触感の違いを感じ、操作盤取付部５１にたどり着いたことを容易に認識することができる。このため、かご操作盤３０を容易に探し出すことができる。
【００７８】
また、本実施の形態によれば、操作盤取付部５１に手摺本体２２とは異なる表面処理が施されていることにより、操作盤取付部５１は、手摺本体２２とは異なる触感を有することができる。
【００７９】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【００８０】
なお、上述した第７の実施の形態では、操作盤取付部５１の少なくとも所望の部分を手摺本体２２とは異なる材料で形成することにより触感を異ならせる例について説明し、第８の実施の形態では、操作盤取付部５１の少なくとも所望の部分を手摺本体２２とは異なる表面処理を施すことにより触感を異ならせる例について説明した。しかしながら、触感を異ならせるためには、このような例に限られることはない。例えば、操作盤取付部５１の少なくとも所望の部分を手摺本体２２とは異なる表面粗さで形成するようにしてもよい。この場合、当該所望の部分の表面粗さを変えることにより、サラサラした触感を調整することができ、手摺本体２２の触感との違いを際立たせることも可能となる。このように表面粗さを変えることは、上述した第７の実施の形態または第８の実施の形態と組み合わせることも可能である。
【符号の説明】
【００８１】
３      かご
１０    かご本体
１１    かご室
１１ｂ  側壁面
２０    手摺
２２    手摺本体
２３    操作盤取付部
３０    かご操作盤
４０    操作盤認識手段
４１    アーチ形状部
４２    突起部
４３    窪み部
４４    点字部
４５    凸文字部
４６    センサ
４７    スピーカ
５０、５２    操作盤取付部
【図１】
2016003136.tif 000003
【図２】
2016003136.tif 000004
【図３】
2016003136.tif 000005
【図４】
2016003136.tif 000006
【図５】
2016003136.tif 000007
【図６】
2016003136.tif 000008
【図７】
2016003136.tif 000009
【図８】
2016003136.tif 000010
【図９】
2016003136.tif 000011
【図１０】
2016003136.tif 000012
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
かご室を含むかご本体と、
前記かご室の側壁面に設けられた手摺と、
前記手摺に設けられたかご操作盤と、を備え、
前記手摺は、手摺本体と、前記手摺本体に当該手摺の長手方向に連結され、前記かご操作盤が取り付けられた操作盤取付部と、を有し、
前記操作盤取付部は、利用者に前記かご操作盤の位置を認識させる操作盤認識手段を有し、
前記操作盤認識手段は、前記かご操作盤より上側に配置され、
前記操作盤認識手段は、突起部または窪み部を含み、
前記操作盤取付部の断面は、矩形状に形成され、
前記操作盤認識手段は、前記操作盤取付部の上面に配置されていることを特徴とするエレベータのかご。
【請求項２】
かご室を含むかご本体と、
前記かご室の側壁面に設けられた手摺と、
前記手摺に設けられたかご操作盤と、を備え、
前記手摺は、手摺本体と、前記手摺本体に当該手摺の長手方向に連結され、前記かご操作盤が取り付けられた操作盤取付部と、を有し、
前記操作盤取付部は、利用者に前記かご操作盤の位置を認識させる操作盤認識手段を有し、
前記操作盤認識手段は、前記かご操作盤より上側に配置され、
前記操作盤認識手段は、前記操作盤取付部に設けられた、利用者が触れたことを検出可能な検出部と、前記検出部が利用者が触れたことを検出した場合に、前記操作盤取付部に前記かご操作盤が取り付けられている旨を報知する報知部と、を含み、
前記検出部は、前記操作盤取付部の上面に配置されていることを特徴とするエレベータのかご。
【請求項３】
前記かご操作盤は、前記手摺の長手方向に配列された複数の操作ボタンを有し、
前記操作盤認識手段は、前記操作ボタンの各々の上側に配置されていることを特徴とする請求項１または２に記載のエレベータのかご。
【請求項４】
かご室を含むかご本体と、
前記かご室の側壁面に設けられた手摺と、
前記手摺に設けられたかご操作盤と、を備え、
前記手摺は、手摺本体と、前記手摺本体に当該手摺の長手方向に連結され、前記かご操作盤が取り付けられた操作盤取付部と、を有し、
前記操作盤取付部のうち少なくとも前記かご操作盤より上側の部分は、前記手摺本体とは異なる触感を有していることを特徴とするエレベータのかご。
【請求項５】
かご室を含むかご本体と、
前記かご室の側壁面に設けられた手摺と、
前記手摺に設けられたかご操作盤と、を備え、
前記手摺は、手摺本体と、前記手摺本体に当該手摺の長手方向に連結され、前記かご操作盤が取り付けられた操作盤取付部と、を有し、
前記操作盤取付部は、利用者に前記かご操作盤の位置を認識させる操作盤認識手段を有し、
前記手摺本体は、前記手摺の長手方向に直線状に延び、
前記操作盤認識手段は、前記かご操作盤より上側に配置されたアーチ形状部を含んでいることを特徴とするエレベータのかご。